(57)【要約】【課題】引き出し式の貯蔵室の実収納容積の増加を図りつつ、構造的強度の低下を抑止する。【解決手段】断熱箱体１０１と、断熱箱体１０１の内方に形成される前面が開口する引出式の貯蔵室と、貯蔵室の前面開口を開閉自在に閉塞する引出扉２０１と、断熱箱体の貯蔵室を区画する仕切壁と、固定レールと移動レールとを有し、固定レールと移動レールとを予め組み込んだ状態で内箱壁又は仕切壁に固定し、引出扉と断熱箱体とを伸縮自在に接続するとともに貯蔵室の内部に備えた容器を前後に移動可能とするレール装置２０２と、を備えた冷蔵庫において、レール装置２０２は、引出扉２０１の上下方向中央部より下方に、容器２０６は引出扉２０１と扉フレーム２０５とに固定し引き出し式の貯蔵室の実収納容積の増加を図ることができる。【選択図】図４Ａ
2011202854.tif 000002
【特許請求の範囲】
【請求項１】
内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉の開閉によって前記貯蔵室の内部に備えた容器を前後に移動可能とするレール装置と、を備えた冷蔵庫において、前記レール装置は、前記引出扉の上下方向中央部より下方に扉フレームによって接続されるとともに、前記容器は前記引出扉と前記扉フレームとに固定されることを特徴とする冷蔵庫。
【請求項２】
上面開口した前記容器の側面部に段差部を形成し、前記段差部に前記扉フレームに固定される突起部を形成したことを特徴とする請求項１の冷蔵庫。
【請求項３】
前記突起部は容器の側面部の後方に形成されたことを特徴とする請求項２に記載の冷蔵庫。
【請求項４】
前記突起部の先端は、庫内奥行き方向に向かって傾斜配置したことを特徴とする請求項３に記載の冷蔵庫。
【発明の詳細な説明】
【技術分野】
【０００１】
本発明は、冷蔵庫に関し、特に引出式の貯蔵室を形成する引き出し構造に関する。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室を出し入れする際の円滑性、貯蔵室への食品の出し入れの容易性、および、貯蔵室を形成する容器の着脱の容易性などが求められている。
【０００３】
そこで、引き出し式の貯蔵室の使い勝手を向上させる技術も開示されている（例えば、特許文献１または特許文献２参照）。
【０００４】
図７は、従来の冷蔵庫１００の側断面を示す図である。
【０００５】
図７に示す従来の冷蔵庫１００は、断熱箱体１０１内に、冷蔵室１０２、温度変更が可能な切換室１０６、切換室１０６に併設された製氷室（図示せず）、野菜室１０３、および冷凍室１０４を貯蔵室として備えている。
【０００６】
断熱箱体１０１は、外箱１１２と内箱１１０と、外箱１１２および内箱１１０の間に充填された断熱材１１１と、で形成されている。
【０００７】
野菜室１０３の構成要素である容器２０６は、野菜室１０３の引出扉２０１に接続された２つのレール装置２０２に支持されている。
【０００８】
また、冷凍室１０４の構成要素である容器２０６は、冷凍室１０４の引出扉２０１に接続された２つのレール装置２０２に支持されている。
【０００９】
野菜室１０３および冷凍室１０４はそれぞれこのような構成であることにより、断熱箱体１０１に対して出し入れ可能な引き出し式の貯蔵室となっている。
【００１０】
ここで、従来の冷蔵庫において前面開口を閉塞するための引出扉２０１について説明する。
【００１１】
図８は、引出扉を奥側から示す斜視図である。
【００１２】
図８に示すように、引出扉２０１には、扉フレーム２０５が引出扉２０１に対して垂直突出状に取り付けられている。当該扉フレーム２０５は、引出扉２０１に取り付けられ、移動レールと固定レールを備えたレール装置２０２（図示せず）がスライド可能に係合し、引出扉２０１を垂直方向に起立させた状態のまま水平方向に引き出し押し戻すことができるようになっている。
【００１３】
図９は、引出扉と容器との関係を冷蔵庫の奥側から示す断面図である。
【００１４】
図９に示すように、容器２０６は、２本のレール装置２０２の間に配置され、容器２０６の高さ方向略中央部で２本のレール装置２０２に支持されている。
【先行技術文献】
【特許文献】
【００１５】
【特許文献１】特開２００６−１７７６５３号公報
【特許文献２】特開２００６−２１４６４２号公報
【発明の概要】
【発明が解決しようとする課題】
【００１６】
ところが近年、冷蔵庫の構成要素の配置等を工夫することなどにより実収納可能な内容積を増加させる傾向にある。
【００１７】
従来の引出式の貯蔵室が備える容器は、レール装置に載置しているだけであり、容器の内容積を増加することで、さらに容器に収納される収納物が増大し負荷も大きくなり、引出扉を開放すると、レール装置に大きな負荷がかかり、特にレール装置と引出扉との取り付け部分であるレール装置の端部にかかる応力が増大する。
【００１８】
これは、引出扉の最大開放時、引出扉の開放と連動する容器２０６を支えているのはレール装置２０２のみであり、さらに内部に断熱発泡された引出扉がレール装置２０２の端部にあるため、容器２０６の荷重に加えて引出扉２０１の荷重がレール装置２０２の端部に加わる。また引出扉２０１内には省エネの観点から真空断熱材が埋設されている場合もあり、さらにレール装置２０２への荷重は増大する方向である。このため長期間の引出扉２０１の開閉動作によりレール装置２０２が変形し、これによって引出扉２０１が野菜室１０３または冷凍室１０４の開口部を閉塞しても、開口部に対して引出扉２０１が歪んで閉塞されたり、開口部を引出扉２０１のシール部（図示しない）でシールできないことが起こり、室内の冷気が漏れて所定温度に冷却できないというおそれがある。
【００１９】
本願発明は、上記従来の課題を解決するもので、引き出し式の貯蔵室を備える冷蔵庫であって、引出式の貯蔵室に広い実収納容積を確保し、特にレール装置にかかる荷重を分散し、レール装置の変形による引出扉の歪みを低減して構造的強度を確保し、冷却性能を確保した冷蔵庫の提供を目的とする。
【課題を解決するための手段】
【００２０】
上記従来の課題を解決するために、本願発明の冷蔵庫は、内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉の開閉によって前記貯蔵室の内部に備えた容器を前後に移動可能とするレール装置と、を備えた冷蔵庫において、前記レール装置は、前記引出扉の上下方向中央部より下方に接続されるとともに、前記容器と前記引出扉とを固定したものである。
【００２１】
これによって、レール装置が容器の底部の左右両端に取り付けられているため、レール装置に支持される容器の大型化、大容積化を図ることが可能となり、さらにレール装置の変形による引出扉の歪みを低減して冷却性能の確保を図ることが可能となる。
【発明の効果】
【００２２】
本発明の冷蔵庫は、引出式の貯蔵室において、広い実収納空間および冷却性能を確保することができる。
【図面の簡単な説明】
【００２３】
【図１】本発明の実施の形態１における冷蔵庫の正面図
【図２】図１のＡ−Ａ線切断面を示す図
【図３】本発明の実施の形態１における冷蔵庫のレール装置を示す斜視図
【図４Ａ】本発明の実施の形態１における冷蔵庫の接続した引出扉とレール装置と着脱可能な容器を示す斜視図
【図４Ｂ】図４Ａの容器を装着したときの要部断面図
【図４Ｃ】本発明の実施の形態１における冷蔵庫のレール装置の間に容器を配置した状態を奥側から示す断面図
【図５】本発明の実施の形態１における冷蔵庫のレール装置と容器の配置を示した要部拡大図
【図６】図４Ａの容器を装着したときの状態を示す斜視図
【図７】従来の冷蔵庫を示す断面図
【図８】従来の引出扉とレールとの関係を示す斜視図
【図９】従来のレールと容器との関係を示す断面図
【発明を実施するための最良の形態】
【００２４】
請求項１に記載の発明は、内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉の開閉によって前記貯蔵室の内部に備えた容器を前後に移動可能とするレール装置と、を備えた冷蔵庫において、前記レール装置は、前記引出扉の上下方向中央部より下方に扉フレームによって接続されるとともに、前記容器は前記引出扉と前記扉フレームとに固定されることにより、レール装置が容器の底部の左右両端に取り付けられているため、レール装置に支持される容器の大型化、大容積化を図ることと、容器は引出扉と扉フレームとに固定することで、レール装置の引出扉側の端部にかかる荷重を分散することが可能となり、引出式の貯蔵室において、広い実収納空間を確保すること、さらにレール装置の変形による引出扉の歪みを低減して強度を確保し、冷却性能の確保ができる。
【００２５】
請求項２に記載の発明は、請求項１に記載の発明において、上面開口した前記容器の側面部に段差部を形成し、前記段差部に前記扉フレームに固定される突起部を形成したことにより、レール装置の引出扉側にかかる荷重を扉フレーム側に分散でき、モーメントを効果的に小さくでき、レール装置の変形を抑制することが可能となる。
【００２６】
請求項３に記載の発明は、請求項２に記載の発明において、前記突起部は容器の側面部の後方に形成されたことにより、レール装置の引出扉側の端部にかかる荷重を引出扉側の端部から遠い位置となる扉フレーム後方に分散することができる。
【００２７】
請求項４に記載の発明は、請求項３に記載の発明において、前記突起部の先端は、庫内奥行き方向に向かって傾斜配置したことにより、引出扉側に荷重がかかっても、容器が扉フレームから簡単に外れないように固定することができ、また引出扉の開閉動作時に容器が上方へ浮上るのを防止できる。
【００２８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２９】
（実施の形態１）
図１は、本発明の実施の形態１における冷蔵庫の正面図である。
【００３０】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００３１】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００３２】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００３３】
また、冷蔵室１０２の下方に配置される製氷室１０５、切換室１０６、野菜室１０３、および冷凍室１０４は引出式の収納空間となされている。
【００３４】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００３５】
冷蔵室１０２は、冷蔵保存のために収容物が凍らない程度の低い温度に維持される貯蔵室である。具体的な温度の下限としては、通常１〜５℃で設定されている。
【００３６】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体的な温度の下限としては、２℃〜７℃である。なお、低温にするほど葉野菜の鮮度を長期間維持することが可能である。
【００３７】
冷凍室１０４は、冷凍温度帯に設定される貯蔵室である。具体的には、冷凍保存のために通常−２２〜−１８℃で設定されているが、冷凍保存状態の向上のために、たとえば−３０〜−２５℃の低温で設定されることもある。
【００３８】
製氷室１０５は、内方に製氷機（図示せず）を設け製氷機で氷を作りその氷を保存する貯蔵室である。設定温度は冷凍室１０４とほぼ同等である。
【００３９】
切換室１０６は、冷蔵庫１００に取り付けたれた操作盤により、用途に応じ冷蔵温度帯から冷凍温度帯まで切り換えることができる。
【００４０】
これらの異なる温度帯を複数に区画するために、断熱箱体１０１内のそれぞれの温度帯の間には仕切壁１０８が設置されている。
【００４１】
図２は、本発明の実施の形態１における冷蔵庫の縦断面図であり、図１におけるＡ−Ａ線で切断した状態を示している。
【００４２】
図２に示すように、冷蔵庫１００に備えられる貯蔵室のうち引出式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。さらに、冷蔵庫１００は、扉フレーム２０５と、容器２０６と、を備えている。
【００４３】
ここで、扉フレーム２０５は、特許請求の範囲での「強化部材」に相当する。
【００４４】
引出扉２０１は、貯蔵室の開口を開閉自在に閉塞することができる断熱性を備えた板状の部材であり、奥側周縁にパッキン２０７を備えている。当該パッキン２０７は、引出扉２０１が貯蔵室の開口を閉塞した状態で断熱箱体１０１等と密着し、冷気が漏れるのを防いでいる。
【００４５】
図３は、本発明の実施の形態１における冷蔵庫のレール装置を示す斜視図である。
【００４６】
図３に示すように、レール装置２０２は、三段に重ねられた三つのレールを有し、第２レール（ミドルレール２２１）が第１レール（キャビネットレール２２２）に対して移動可能であり、かつ、第３レール（トップレール２０３）が第２レール（ミドルレール２２１）に対して移動可能であることにより、全体として伸縮可能である。
【００４７】
トップレール２０３とミドルレール２２１とが、特許請求の範囲での「移動レール」に相当し、キャビネットレール２２２が、特許請求の範囲での「固定レール」に相当する。
【００４８】
固定レールと移動レールは、それぞれ回転支持部材（図示せず）で支持され、固定レールと移動レールを予め組み込んだ状態で、レール装置２０２を内箱１１０壁に固定する。
【００４９】
レール装置２０２は、キャビネットレール２２２のレール取付部２２３が断熱箱体１０１の内箱１１０に取り付けられ、また、レール装置２０２は、トップレール２０３とミドルレール２２１とキャビネットレール２２２とが相互にスライド自在となされることで、レール装置２０２全体として伸縮自在となっている。従って、引出扉２０１は、レール装置２０２の伸縮軌道に沿って断熱箱体１０１に対し引き出されたり押し戻されたりすることが可能となっている。
【００５０】
図４Ａは、本発明の実施の形態１における冷蔵庫の扉フレーム２０５によって引出扉２０１とレール装置２０２とを接続した状態を示す斜視図である。
【００５１】
図４Ａに示すように、引出扉２０１は、断熱箱体の前面を覆う内板２１１と、扉フレーム２０５と、を備えている。内板２１１は、引出扉２０１を構成する部材の一つであり、真空成形により形成される板状の部材である。内板２１１に直接に固定された扉フレーム２０５は、ビスなどを用いてトップレール２０３に接続されることにより、引出扉２０１は、レール装置２０２の機能により引き出されたり押し戻されたりすることが可能となっている。
【００５２】
引出扉２０１、特に引出扉２０１の上端部を持って引き出したり押し戻したりしたときに発生する応力が、トップレール２０３の基端部に集中するのを緩和するため、容器２０６と引出扉２０１とを固定する第１固定手段３０１が引出扉２０１の内板２１１に備えられており、第１固定手段３０１は、容器２０６をレール装置２０２に載置したとき、容器２０６の上面開口部に形成された断面略Ｌ字状の前面フランジ部２０６ａが固定される位置に設置されている。そして前面フランジ部２０６ａは断面略Ｌ字状の差込状体に形成された第１固定手段３０１に上方から差込まれて固定される。
【００５３】
また第１固定手段３０１は金属製の部材で、内板２１１の裏側の発泡断熱材内に固定された平板状の金属板（図示せず）に、内板２１１を介してビス等により固定されている。そして前面フランジ部２０６ａは第１固定手段３０１に上方から差込んで固定されている。扉フレーム２０５は、扉フレーム２０５の一辺に対応する端縁が引出扉２０１の内板２１１に沿うように折曲される折曲部２４１を備えており、折曲部２４１は内板２１１の裏側の発泡断熱材内に固定された平板状の金属板（図示せず）に、内板２１１を介してビス等により固定されている。
【００５４】
このように容器２０６の前面フランジ部２０６ａを引出扉２０１の内板２１１の上部に備えた第１固定手段３０１に固定することにより、引出扉２０１に対して下部に取り付けられているレール装置２０２と引出扉２０１との取付部の強度不足を補い、スムーズな引出扉の開閉を行うことが可能となる。
【００５５】
また、内板２１１に一体で形成され第２固定手段３０３は容器２０６の上面開口部を形成する周縁部３０４に当接して前面フランジ部２０６ａが上方へ浮上るのを防止する凸部形状の浮上り防止部材３０３である。
【００５６】
第２固定手段３０３は図のように、左右両側に備えた第１固定手段３０１の間に備えられている。
【００５７】
また、図のように着脱可能な容器２０６は引出扉２０１の上方から嵌められ、上記のように前面フランジ部２０６ａを第１固定手段３０１に差込み、容器２０６の上面開口部を形成する周縁部３０４が第２固定手段３０３に上方から当接することで、すなわち第１固定手段３０１で容器２０６の前面部を下から支持固定し、第２固定手段３０３で容器２０６の前面部を上から支持固定して内板２１１に固定されるので、容器２０６の上部が内板２１１に支持されて固定されるので、さらに引出扉２０１に対して下部に取り付けられているレール装置２０２と引出扉２０１との取付部の強度不足を補い、スムーズな引出扉の開閉を行うことが可能となる。
また、引出扉２０１を持って引き出したり押し戻したりした場合であっても、応力がトップレール２０３の取付部に集中することはなく、折曲部２４１や扉フレーム２０５を介して接続されている部分に分散するため、全体として引出扉２０１とトップレール２０３との取付強度を向上することが可能となる。これは、トップレール２０３が引出扉２０１の下部に取り付けられている本実施の形態のような場合には、特に有効である。
【００５８】
仮に、レール装置２０２を引出扉２０１の上下方向中央部付近に取り付けた場合において必要となる最低限の強度を確保した扉フレーム２０５を用いて、本実施の形態の位置と同様に、レール装置２０２を引出扉２０１の上下方向中央部より下方に配置した状態で、引出扉２０１を前後に開閉操作を行った場合、扉フレーム２０５の引出扉２０１との固定部側の強度不足により、扉フレーム２０５、若しくは内板２１１に変形が起こり、結果として、引出扉２０１に備えられているパッキン２０７が断熱箱体１０１から離れ、隙が発生し、冷蔵庫内に着霜等の品質不良へと繋がる可能性もある。
【００５９】
引出扉２０１とトップレール２０３との取付部が引出扉２０１の下部に有ると、引出扉２０１の上部を持って引き出したり押し戻したりした場合、取付部にかかるモーメントが比較的大きくなるが、本実施の形態は、取付部よりも上方に第１固定手段３０１または第２固定手段３０３、あるいは第１固定手段３０１と第２固定手段３０３の両方を設けて、容器２０６を固定するため、取付部にかかるモーメントが小さくなるためトップレール２０３の取付部を破損から保護することが可能となる。つまり、本実施の形態では、第１固定手段３０１または／および第２固定手段３０３を設けた引出扉２０１を設けることで、引っ張り力の支点となる位置を上方とすることができる。
【００６０】
また上記のように、第１固定手段３０１は内板２１１と別体で形成され、第２固定手段３０３は内板２１１と一体で形成されており、特に容器２０６の前面フランジ部２０６ａの固定構造を形成する第１固定手段３０１は内板２１１と別体の金属性部品で形成することで、容器２０６内に収納物を入れられても引出扉２０１の可動に対して容器２０６との固定状態を維持できる。また第２固定手段３０３を内板２１１と一体成形することで部品点数を低減できる。
【００６１】
図４Ｃは、本発明の実施の形態１における冷蔵庫のレール装置の間に容器を配置した状態を奥側から示す断面図である。
【００６２】
図４Ｃに示すように、容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のトップレール２０３の間に配置され、段部２６２が扉フレーム２０５の上面に載置されることで、トップレール２０３に支持される。
【００６３】
このように、トップレール２０３が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【００６４】
図５は、本発明の実施の形態１における冷蔵庫のレール装置と容器の配置を示した要部拡大図である。
【００６５】
本実施の形態では、図５の（Ａ）に示すように、容器２０６は、下部の両端部に内方に向く段部２６２が容器２０６の奥行き方向に形成されるように幅が狭い狭幅部２６１を備えるものとしたが、図５の（Ｂ）や図５の（Ｃ）に示すように、容器２０６の側面はほぼストレート形状とし、容器２０６は段部２６２を設けないで、レール装置２０２は、容器２０６の底部の左右両端の側方で支持したり（図５の（Ｂ）参照）、あるいは、容器２０６の底部の左右両端の下方で支持したり（図５の（Ｃ）参照）してもよい。なお、図５では、レール装置２０２と容器２０６の位置関係を示すものであって、扉フレーム２０５は、省略して図示していない。
【００６６】
図５（Ａ）のような場合、容器２０６の両側部に備えた段部２６２には、図４Ａのように容器２０６と一体成形された突起部２０６ｂ、２０６ｃがあり、容器２０６の前側部に形成された前側突起部２０６ｂと、容器２０６の後側部に形成された後側突起部２０６ｃとで形成されていて、これらの突起部は、扉フレームに形成された固定孔部２０５ａ、２０５ｂに挿入される。
【００６７】
固定孔部２０５ａは切欠き形状であってもよく、前側突起部２０６ｂを固定孔部２０５ａに挿入して位置決めし、扉フレーム２０５の後方に形成した固定孔部２０５ｂに後側突起部２０６ｃを挿入する。
【００６８】
図４Ａや図６のように、後側突起部２０６ｃは扉フレーム２０５の後方に向かって下向き傾斜した形状にしておけば、固定孔部２０５ｂに挿入した状態から簡単に外れるのを防止、また引出扉２０１の開閉動作時に容器２０６が上方へ浮上るのを防止できる。
【００６９】
特に上記のように、前側は容器２０６の前面フランジ部２０６ａを引出扉２０１に固定した状態で、後側は後側突起部２０６ｃと扉フレーム２０５とを固定することで、引出扉２０１に対して下部に取り付けられているレール装置２０２と引出扉２０１との取付部の強度不足を補い、スムーズな引出扉の開閉を行うことが可能となる。
【００７０】
つまり取付部にかかるモーメントが小さくなるためトップレール２０３の取付部またはレール固定部の取付部を破損から保護することが可能となる。つまり、本実施の形態では、第１固定手段３０１または／および第２固定手段３０３を設けた引出扉２０１に容器２０６の前面フランジ部２０６ａを固定し、さらに容器２０６の後側突起部２０６ｃを扉フレーム２０５に設けた固定孔部２０５ｂに挿入固定することで、引っ張り力の支点となる位置を引出扉２０１よりも後方とすることができる。
【産業上の利用可能性】
【００７１】
以上のように、本願発明にかかる冷蔵庫は、広い実収納空間を確保することができるので、引き出し式の貯蔵室を備える冷蔵庫に利用可能であり、さらに、引き出しを備えたユニットキッチンなどにも展開が可能である。
【符号の説明】
【００７２】
１００    冷蔵庫
１０１    断熱箱体
１１０    内箱
１１１    断熱材
１１２    外箱
２０１    引出扉
２０２    レール装置
２０５    扉フレーム（強化部材）
２０６    容器
２０６ａ  前面フランジ部
２０６ｂ  前側突起部
２０６ｃ  後側突起部
２１１    内板
３０１    第１固定手段（差込状体）
３０３    第２固定手段（浮上り防止部材）
３０４    周縁部
【図１】
2011202854.tif 000003
【図２】
2011202854.tif 000004
【図３】
2011202854.tif 000005
【図４Ａ】
2011202854.tif 000006
【図４Ｂ】
2011202854.tif 000007
【図４Ｃ】
2011202854.tif 000008
【図５】
2011202854.tif 000009
【図６】
2011202854.tif 000010
【図７】
2011202854.tif 000011
【図８】
2011202854.tif 000012
【図９】
2011202854.tif 000013